(57)【要約】【課題】  従来の電子機器のカバーは、電子機器本体への衝撃が加わると弾性部材が変形し係合状態が解除され、カバーがはずれてしまう可能性があった。【解決手段】  本発明の電子機器の蓋体は、電子機器の一部を覆い、前記蓋体は電子機器と係合する係合部と、固定部材を介して電子機器と接続する接続部とを備え、前記固定部材を緩めた状態で固定方向に押し込むことで前記係合部が解除されることを特徴としている。【選択図】  図１
2007174531.tif 000002
【特許請求の範囲】
【請求項１】
電子機器の一部を覆う蓋体であって、前記蓋体は電子機器と係合する係合部と、固定部材を介して電子機器と接続する接続部とを備え、前記固定部材を緩めた状態で固定方向に押し込むことで前記係合部が解除されることを特徴とする電子機器の蓋体。
【請求項２】
前記固定部材の固定方向長さは、前記係合部の係合方向長さよりも長いことを特徴とする請求項１記載の電子機器の蓋体。
【請求項３】
電子機器と係合する係合部と固定部材を介して電子機器と接続する接続部と有する蓋体が着脱可能な電子機器であって、前記固定部材を緩めた状態で固定方向に押し込むことで前記蓋体の係合部が解除されることを特徴とする電子機器。
【請求項４】
前記電子機器は開閉可能な画像表示部と、該画像表示部が閉じた状態で収納される収納部を備え、前記固定部材は収納部から固定されることを特徴とする請求項３に記載の電子機器。
【請求項５】
前記蓋体で覆われる部分に電子機器の外装体同士を固定するビスを配置したことを特徴とする請求項３記載の電子機器。
【請求項６】
前記固定部材の固定方向長さは、前記係合部の係合方向長さよりも長いことを特徴とする請求項３記載の電子機器。
【発明の詳細な説明】
【技術分野】
【０００１】
本発明は組立作業性にすぐれたカバーの係合方法を用いた、電子機器等の外装カバーの固定構造に関するものである。
【背景技術】
【０００２】
図６は従来例における電子機器の外観図である。１１０は電子機器の一例となるビデオカメラ本体、１１５はビューファインダー、１２１は画像表示部、１２２はビデオカメラ本体１１０に取り付けられ画像表示部１２１を収納状態、使用状態、対面状態、反転収納状態へ回動可能なヒンジユニットである。１３０はビデオカメラ本体１１０を組み立てる際、最後に取り付けられる小カバーＡ、１３１は小カバー１３０を取り付ける前にビデオカメラ本体１１０へ取り付けられる小カバーＢである。
【０００３】
図７は小カバーＡ１３０をビデオカメラ本体１１０から取り外した状態の図である。図８は小カバーＢ１３１をビデオカメラ本体１１０から取り外した状態の図である。図９は小カバーＡ１３０、小カバーＢ１３１の取り付け状態を説明するビデオカメラ本体１１０の断面図である。図１０は図９の部分拡大図で小カバーＡ１３０付近の図である。
【０００４】
図６、図７、図８、図９、図１０で１３４は小カバーＡ１３０の一部でビデオカメラ本体１１０へ引っ掛けるためのリブＡ、１４３は小カバーＡ１３０のリブＡ１３４が引っかかるビデオカメラ本体１１０側の引っ掛け部である。１４２はビデオカメラ本体１１０側へ取り付けられた弾性部材、１３２は小カバーＡ１３０の一部でビデオカメラ本体１１０へ取り付けられた弾性部材１４２へ引っ掛けるリブＢである。小カバーＡ１３０のビデオカメラ本体１１０への取り付けは、まず小カバーＡ１３０のリブＡ１３４をビデオカメラ本体１１０側の引っ掛け部１４３へ引っ掛ける。そして小カバーＡ１３０のリブＢをビデオカメラ本体１１０側へ取り付けられた弾性部材１４２へ引っ掛けることにより、小カバーＡ１３０をビデオカメラ本体１１０へ固定している。小カバーＡ１３０をビデオカメラ本体１１０から取り外すときは、小カバーＡ１３０を持ち上げることにより、ビデオカメラ本体１１０側へ取り付けられた弾性部材１４２が弾性変形して小カバーＡ１３０のリブＢから外れることにより可能としている。
【０００５】
１１４は小カバーＢ１３１をビデオカメラ本体１１０へ固定するビスであり、小カバーＡ１３０をビデオカメラ本体１１０への取り付けた状態では小カバーＡ１３０により覆われ外観として現れない。１４５はビデオカメラ本体１１０の左右のカバーを固定する前側ビス、１４６はビデオカメラ本体１１０の左右のカバーを固定する後側ビスである。これらは、小カバーＢ１３１がビデオカメラ本体１１０に取り付けられた状態では小カバーＢ１３１により覆われ外観として現れない。従来例による電子機器では説明のように電子機器の左右のカバーを固定するビス、小カバーを固定するビスを外観に現さない構造が可能となっている。
【０００６】
また特許文献１のように、側面カバーどうしをつなげるための上面カバーを持つビデオカメラがあった。
【特許文献１】特開平６−３４３１３６号公報
【発明の開示】
【発明が解決しようとする課題】
【０００７】
しかしながら、上記従来例では、最後に取り付ける小カバーを弾性変形を利用した固定方法のみで取り付けているため、電子機器への衝撃が加わると弾性部材が変形し係合状態が解除され、小カバーがはずれてしまう可能性があった。また、小カバーが２個ありコストがかかる構造となっていた。
【０００８】
本出願に係る発明の目的は、電子機器の目立つ外観部にカバーの固定用ビスを配置することなく、カバーを確実に固定し、コストをかけずに、組立、バラシの作業性にすぐれたカバーとその係合方法とを提供することである。
【課題を解決するための手段】
【０００９】
本発明の電子機器の蓋体は、電子機器の一部を覆い、前記蓋体は電子機器と係合する係合部と、固定部材を介して電子機器と接続する接続部とを備え、前記固定部材を緩めた状態で固定方向に押し込むことで前記係合部が解除されることを特徴としている。
【００１０】
また、本発明の他の特徴とするところは、前記固定部材の固定方向長さは、前記係合部の係合方向長さよりも長いことを特徴としている。
【００１１】
また、本発明の電子機器は、該電子機器と係合する係合部と固定部材を介して電子機器と接続する接続部と有する蓋体が着脱可能であって、前記固定部材を緩めた状態で固定方向に押し込むことで前記蓋体の係合部が解除されることを特徴としている。
【発明の効果】
【００１２】
以上説明したように、本発明によれば、電子機器の目立つ外観部にカバーの固定用ビスを配置することなく、カバーを確実に固定し、コストをかけずに、組立、バラシの作業性にすぐれたカバーとその係合方法を提供することができる。
【発明を実施するための最良の形態】
【００１３】
以下、本発明を実施するための形態に関して説明する。
【実施例１】
【００１４】
図１は本発明の特徴を最もよく表す図であり、同図において１０は電子機器の一例となるビデオカメラ本体、１１はビデオカメラ本体１０の電源のＯＮ／ＯＦＦを切り替える電源操作つまみ、１５はビューファインダーである。２１は画像表示部、２２はビデオカメラ本体１０に取り付けられ画像表示部２１を収納状態、使用状態、対面状態、反転収納状態へ回動可能なヒンジユニット、１２は画像表示部２１を収納状態にするためのビデオカメラ本体１０の収納部である。３１はビデオカメラ本体１０へ最後に取り付けられる小カバー、３２は小カバー３１の一部で小カバー３１をビデオカメラ本体１０に取り付け時ビスで固定されるためのビス止め用部材である。１４は小カバー３１のビス止め用部材３２を固定するビス、１３はビス１４を固定するビデオカメラ本体１０のビス用凹部である。小カバー３１のビス止め用部材３２は小カバー３１と別の部品で構成されても構わない。
【００１５】
図２は本発明における携帯装置の小カバー３１がビデオカメラ本体１０に取り付けられた状態の外観図である。
【００１６】
図３は小カバー３１を取り外した状態である。３３、３４、３５、３６はそれぞれ小カバー３１に設けられ、ビデオカメラ本体１０と係合される係合部ａ、係合部ｂ、係合部ｃ、係合部ｄである。４１、４２、４３、４４はそれぞれビデオカメラ本体１０に設けられ、小カバー３１の係合部ａ、係合部ｂ、係合部ｃ、係合部ｄと係合される係合部ｅ、係合部ｆ、係合部ｇ、係合部ｈである。本実施例では係合部を４箇所としたが、１箇所とすることも可能である。４５はビデオカメラ本体１０の左右のカバーを固定する前側ビス、４６はビデオカメラ本体１０の左右のカバーを固定する後側ビスである。
【００１７】
図４、図５は図２で表す小カバー３１がビデオカメラ本体１０に取り付けられた状態での、それぞれ横に切った断面図と縦に切った断面図である。小カバー３１の組込みはビデオカメラ本体１０の上方より小カバー３１を落とし込み、小カバー３１の係合部ａ３３、ｂ３４、ｃ３５、ｄ３６を弾性変形させて、それぞれビデオカメラ本体１０の係合部ｅ４１、ｆ４２、ｇ４３、ｈ４４と係合させる。小カバー３１の一部のビス止め用部材３２をビス１４でビデオカメラ本体１０のビス用凹部１３とともに固定する。ビス用凹部１３は画像表示部２１を収納状態にするためのビデオカメラ本体１０の収納部１２に設けられているので、画像表示部２１が収納状態の時はビス１４が外観へ現れない。ビデオカメラ本体１０の左右のカバーを固定する前側ビス４５、後側ビス４６は、小カバー３１がビデオカメラ本体１０に取り付けられた状態では小カバー３１により覆われ外観として現れない。
【００１８】
小カバー３１の取り外しはビス１４をビス緩め工具にて緩め、そのままビス緩め工具をビス締め方向へ押し出す。そうすることにより、小カバー３１の係合部ａ３３、ｂ３４、ｃ３５、ｄ３６が弾性変形し、ビデオカメラ本体１０の係合部ｅ４１、ｆ４２、ｇ４３、ｈ４４との係合状態が解除され小カバー３１を取り外すことができる。ビス１４の長さは小カバー３１を固定するのに必要な長さと、小カバー３１の係合部ａ３３〜ｄ３６が弾性変形し、ビデオカメラ本体１０の係合部ｅ４１〜ｈ４４との係合状態が解除されるのに必要な長さを足した長さより長い設定となっている。
【００１９】
以上説明したように、本発明によれば、電子機器の目立つ外観部にカバーの固定用ビスを配置することなく、カバーを確実に固定し、コストをかけずに、組立、バラシの作業性にすぐれたカバーの係合方法を提供することができる。
【図面の簡単な説明】
【００２０】
【図１】本発明の実施例に係る電子機器の構成を説明する斜視図である。
【図２】本発明の実施例に係る電子機器の外観を説明する斜視図である。
【図３】本発明の実施例に係る電子機器の小カバーをはずした状態を説明する図である。
【図４】本発明の実施例に係る電子機器の構成を説明する断面図１である。
【図５】本発明の実施例に係る電子機器の構成を説明する断面図２である。
【図６】従来例に係る電子機器の外観を説明する斜視図である。
【図７】従来例に係る電子機器の小カバーＡをはずした状態を説明する図である。
【図８】従来例に係る電子機器の小カバーＢをはずした状態を説明する図である。
【図９】従来例に係る電子機器の構成を説明する断面図である。
【図１０】図９の部分拡大図である。
【符号の説明】
【００２１】
１０、１１０  ビデオカメラ本体
１１  電源操作つまみ
１２  収納部
１３  ビス用凹部
１４、１１４  ビス
１５、１１５  ビューファインダー
２１、１２１  画像表示部
２２、１２２  ヒンジユニット
３１、１３０、１３１  小カバー
３２  ビス止め用部材
３３〜３６  係合部ａ〜係合部ｄ
４１〜４４  係合部ｅ〜係合部ｈ
４５、１４５  前側ビス
４６、１４６  後側ビス
１３２、１３４  リブ
１４２  弾性部材
１４３  引っ掛け部
【図１】
2007174531.tif 000003
【図２】
2007174531.tif 000004
【図３】
2007174531.tif 000005
【図４】
2007174531.tif 000006
【図５】
2007174531.tif 000007
【図６】
2007174531.tif 000008
【図７】
2007174531.tif 000009
【図８】
2007174531.tif 000010
【図９】
2007174531.tif 000011
【図１０】
2007174531.tif 000012